(57)【要約】【課題】  音が反射することなく吸音することが出来るように構成した間仕切りパネルの提供。【解決手段】  間仕切りパネル１の表面材７に大小異なる種類の複数穴１１ａ，１１ｂ，１１ｃ・・・を設け、該表面材８の裏側にはグラスウールやロックウール、又はウレタンスポンジなどの吸音材１０を貼り合わせて構成し、広周波帯域で吸音出来るようにしている。【選択図】    図２
2018035524.tif 000002
【特許請求の範囲】
【請求項１】
間仕切りパネルにおいて、その表面材に大小異なる種類の穴を複数設け、該表面材の裏側にはグラスウールやロックウール、又はウレタンスポンジなどの吸音材を貼り合わせて構成し、大小異なる穴の組み合わせ及び穴数の組み合わせにより広周波帯域で吸音することを特徴とする吸音機能を備えた間仕切りパネル。
【発明の詳細な説明】
【技術分野】
【０００１】
本発明は発生する音を吸収する機能を備えた間仕切りパネルに関するものである。ここで、間仕切りパネルの形態及び構造は特に限定しない。
【背景技術】
【０００２】
図４は従来から使用されている間仕切りパネル（イ）を示す具体例であり、該間仕切りパネル（イ）は表面材（ロ）に石膏ボード（ハ）を貼り合せて構成されている。表面材（ロ）としては金属板が用いられ、この間仕切りパネル（イ）は間仕切り装置として建物の大きな空間を仕切る為に据え付けられる。すなわち、床レールに配置したアジャスター装置にて支持された巾木の上に載り、上端は天井に取付けた天井レールに拘束され、また隣り合う間仕切り間パネル（イ）、（イ）・・・間にはスタッドが介在して連結されている。
【０００３】
間仕切り装置の具体的な構造は色々であるが、基本的な構造は間仕切りパネル（イ）、（イ）・・・が配列して構成され、床面から天井までの空間が仕切られる。ところで、金属製の表面材（ロ）を表面に貼着した間仕切りパネル（イ）、（イ）・・・を配列して構成される間仕切り装置の場合、仕切られた空間内部で発生する話し声やその他の音は間仕切りパネル（イ）、（イ）・・・に当たって反射する。
特にオフィス内における電話の呼出し音や事務機から発生する騒音の場合、間仕切りパネル（イ）、（イ）・・・に当たって繰返し反射して、何時までも収束しないと違和感を覚える。
【０００４】
その為に、表面材（ロ）にクロスを貼り合わせた間仕切りパネルも知られている。
特開平９−２３５８２０号に係る「クロス貼りパネル構造」は、クロスを貼着したパネルであって、このクロスの貼り付けが簡単に出来るとともに、一旦貼り付けたクロスが緩むことのないパネル構造としている。
そこで、パネル枠体には嵌合凸片を有し、一部を切り欠きして間口を形成して嵌合凸片に嵌合するジョイント材を有し、クロスの縁を嵌合凸片とジョイント材に挟み込んで止着している。
【０００５】
このように、クロスを表面に貼り付けることで音の全てが反射することはなく、一部はクロスによって吸収される為に吸音パネルとして機能することが出来る。
ところが、間仕切りパネル（イ）の表面にクロスを貼着する場合、温かみはある反面、間仕切りパネルは長期間使用しているとクロス面が汚れたり、破れたりする為に外観が損なわれる。
【０００６】
そこで、クロスを貼着することなく表面に当たった音が吸収されるように、表面材に小さい穴を多数穿設した間仕切りパネルも知られている。
特開昭６２−７９０１８号に係る「パネルの吸音装置」は、金属製の表板及び裏板にパンテイング（穴）を多数設け、表板の裏面に寒冷紗などの粗い目の布を敷き、表板及び裏板を金属製の枠体に連結して隙間なく囲んだ内部中空部に、グラスウールやロックウールを充填している。
【０００７】
このように、表面材に小さい穴を多数設けた間仕切りパネルは、発生した音の一部を吸収することが出来る。すなわち、穴へ進入した音波は表面材の裏面に設けている布目を通過し、内部中空部に充填されているグラスウールやロックウールによって吸収されることで吸音効果を呈し得る。
【０００８】
しかし、人の話し声、電話機の呼び出し音、事務機の騒音など、身の周りに発生する音にも色々あり、これら全ての音が均一に吸収されるものではなく、穴の大きさ（内径）に左右され、色々な音が入り混じっている場合、上記特開昭６２−７９０１８号に係る「パネルの吸音装置」では、十分な吸音をすることが出来ない。
【特許文献１】特開平９−２３５８２０号に係る「クロス貼りパネル構造」
【特許文献２】特開昭６２−７９０１８号に係る「パネルの吸音装置」
【発明の開示】
【発明が解決しようとする課題】
【０００９】
このように、従来の間仕切りパネルには上記のごとき問題がある。本発明が解決しようとする課題はこの問題点であり、幅広い周波数の音を吸収することが出来る間仕切りパネルを提供する。
【課題を解決するための手段】
【００１０】
本発明に係る間仕切りパネルは、金属板で構成した表面材と該表面材の裏側にグラスウール又はロックウールなどの吸音材を取付けた構造としている。そして、上記表面材には小さい穴を貫通して設けているが、穴の大きさは均一でなく、大小異なる種類の穴を複数設けている。また、穴の形状も限定せず円形穴に限定するものでもない。
音波は上記穴を通過して表面材の裏側に取付けている吸音材によって吸音される構造としている。
【００１１】
ここで、本発明の吸音機能を備えた間仕切りパネルが使われる間仕切り装置としての具体的形態は限定せず、建物の大きな空間を床面から天井にかけて仕切ることが出来る間仕切り装置に限らず、大きな部屋空間内に個々の私的空間を形成する為に背丈が低いローパーティションを構成する場合、又は大きな空間内部に会議室などのブースを構成することも出来る。
【発明の効果】
【００１２】
本発明の間仕切りパネルはその表面材に複数の穴を貫通して設けており、該穴に進入した音波は吸音材にて吸収される。しかも、上記穴はその大きさが均一でなく、大小異なる種類の穴が設けられていることで、周波数の異なる音波を吸収する。さらに、表面材に多数の穴を設け、該穴の大きさである穴径と組み合わされて形成することで、吸音率が向上する。
すなわち、従来の均一穴を設けた間仕切りパネルと比較して、広範囲な周波数を吸音することが可能となるので、日常会話の音域はもちろん、オフィス内で使用する事務機器などから発生する騒音も吸収できる。
【図面の簡単な説明】
【００１３】
【図１】本発明の間仕切りパネルを取付けて構成している間仕切り装置の正面図。
【図２】本発明の間仕切りパネルを示す実施例で、（ａ）は正面図、（ｂ）は（ａ）のＡ−Ａ断面図。
【図３】本発明の間仕切りパネルにおける周波数と吸音率の関係を示すグラフ。
【図４】従来の一般的な間仕切りパネル。
【発明を実施するための形態】
【００１４】
図１は本発明に係る間仕切りパネル１を据え付けて構成した間仕切り装置を示す実施例で正面図を表している。該間仕切り装置として基本的な形態は従来のものと共通し、床面２に敷設して設けた床レールに配置したアジャスターによって適度な高さに支持されている巾木３の上に間仕切りパネル１、１・・・が載置されている。そして、間仕切りパネル１の上方には高さ寸法の小さい別の間仕切りパネル４が載置され、隣り合う間仕切りパネル１，１、及び間仕切りパネル４，４の間にはスタッドが介在し、僅かな隙間となる目地５を形成している。
【００１５】
間仕切りパネル３の上端は天井６に固定した天井レール７によって拘束されている。ところで、上記間仕切りパネル１はその表面材８に多数の穴が設けられているが、上方に配置されている間仕切りパネル４の表面材９には穴を有していない。勿論、間仕切り装置を構成する間仕切りパネル１の使い方は自由であり、上方に位置する間仕切りパネル４もその表面材９に穴を穿設することも出来る。
又は、床面から天井にかけての高さを有す間仕切りパネル１とすることも可能である。
【００１６】
図２は本発明に係る間仕切りパネル１を示す実施例であり、（ａ）は正面図、（ｂ）は（ａ）のＡ−Ａ断面図を表している。間仕切りパネル１は表面材８の裏面に吸音材１０が貼り付けられ、間仕切りパネル１としての基本形態は従来と共通している。ここで、上記吸音材１０の材質は特に限定しないが、例えばグラスウールやウレタンスポンジなどが適している。図２に示す間仕切りパネル１は吸音材１０の片面に表面材８を貼着しているが、両面側に表面材８，８を貼り付けた構造とすることもある。
【００１７】
本発明の間仕切りパネル１の表面材８には、複数の穴１１が貫通して設けられており、例えば図２に示す通り小径穴１１ａ，１１ａ・・・、中径穴１１ｂ，１１ｂ・・・、そして大径穴１１ｃ，１１ｃ・・・の３種類の大きさを有している。勿論、穴の大きさの種類はこれに限定するものではなく、組み合せパターンは適宜自由に設定できる。
これら各穴は縦方向に配列し、小径穴１１ａ，１１ａ・・・を一定間隔で配列した小径穴列１２，１２・・・を設け、さらに中径穴１１ｂと大径穴１１ｃを配列した大中径穴列１３ａ，１３ｂ・・・を設ける。
【００１８】
上記小径穴列１２と大中径穴列１３は交互に設けられ、そして、大中径穴列１３ａは２個の大径穴１１ｃ，１１ｃと２個の中径穴１１ｂ，１１ｂが交互に配列して構成され、大中径穴列１３ｂは１個の大径穴１１ｃと１個の中径穴１１ｂが交互に配列して構成している。
これら小径穴１１ａ，中径穴１１ｂ、大径穴１１ｃの配列形態は図２に示す場合に限定しない。幾何学的な配列形態とする場合もあれば、非幾何学的な配列形態とする場合もある。
【００１９】
図３は本発明に係る間仕切りパネル１における音の周波数と吸音率の関係を示す実施例であり、縦軸は吸音率（α）を示し、横軸は周波数（Ｈｚ）を示している。一般的には開口を有する吸音特性として穴径が大きくなると吸音率のピーク周波数は高くなる。また同じ穴径で穴数が増えると吸音するピーク周波数が高くなると同時に吸音率も高くなることが知られている。
本発明の間仕切りパネル１は前記図１にも示すように、表面材８に大小異なる種類の穴を複数設けることで、広範囲な周波数帯域（３００Ｈｚ〜２０００Ｈｚ）を吸音する性能を有すことが出来る。
【００２０】
さらに、前記図２における間仕切りパネル１の表面に多数の小径穴１１ａ，１１ａ・・・、多数の中径穴１１ｂ，１１ｂ・・・、及び多数の大径穴１１ｃ，１１ｃ・・・を組み合せて構成することで、図３のグラフに示す通り、周波数が５００Ｈｚ〜２０００Ｈｚにかけて吸音率が高くなることが分かる。
この５００Ｈｚ〜２０００Ｈｚの周波数帯域は、オフィス内での会議室で発生する人の会話の反射音を最も効果的に吸音する範囲である。
【符号の説明】
【００２１】
１   間仕切りパネル
２   床面
３   巾木
４   間仕切りパネル
５   目地
６   天井
７   天井レール
８   表面材
９   表面材
10   吸音材
11   穴
12   小径穴列
13   大中径穴列
【図１】
2018035524.tif 000003
【図２】
2018035524.tif 000004
【図３】
2018035524.tif 000005
【図４】
2018035524.tif 000006